【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
免許機器及び無免許機器が動作するように許容される規制ドメインにおいて無免許機器としてのステーションによって主なサービスを保護するための方法であって、前記方法は、
規制ドメインデータベースシステムから前記無免許機器の動作のための識別された利用可能なチャンネルのリスト、及び前記識別された利用可能なチャンネルの最大許容伝送電力を獲得することと、
前記識別された利用可能なチャンネルのリスト及び前記識別された利用可能なチャンネルの最大許容伝送電力を含むホワイトスペースマップ（ＷＳＭ）を生成することと、
前記ステーションがアップデートされた利用可能なチャンネル情報を引き出す場合、前記ＷＳＭをアップデートすることと、
他のステーションが特定チャンネルで動作している場合、前記アップデートされたＷＳＭを前記他のステーションに伝送することにより、前記他のステーションが他のチャンネルに移動するようにすることと
を含む、方法。
【請求項２】
前記主なサービス信号が、前記ＷＳＭで利用可能として示される特定チャンネルで探索されるという測定報告を特定ステーションから受信することをさらに含む、請求項１に記載の方法。
【請求項３】
前記特定ステーションは、デジタルＴＶ機器を含む、請求項２に記載の方法。
【請求項４】
前記ＷＳＭをアップデートするステーションは、自分の地理的位置識別及び規制データベース接続能力を用いて自分の位置で前記利用可能なチャンネルを決定する活性化ステーションである、請求項１に記載の方法。
【請求項５】
前記他のステーションは、活性化ステーションから前記利用可能なチャンネルのための情報を受信する依存的ステーション、又は前記依存的ステーションの動作を可能にする依存的アクセスポイント（ＡＰ）ステーションである、請求項１に記載の方法。
【請求項６】
前記アップデートされたＷＳＭは、ビーコンフレーム、プローブ応答フレーム、及びホワイトスペースマップ放送フレームのうちの一つを通して前記ステーションから伝送される、請求項１に記載の方法。
【請求項７】
前記ＷＳＭをアップデートするステーションは、非ＡＰステーションであり、
前記アップデートされたＷＳＭは、ホワイトスペースマップ放送フレームを通して前記非ＡＰステーションから伝送される、請求項４に記載の方法。
【請求項８】
前記アップデートされたＷＳＭを伝送することは、
前記非ＡＰステーションのＭＡＣサブ階層管理エンティティ（ＭＬＭＥ）において、前記非ＡＰステーションのステーション管理エンティティ（ＳＭＥ）から、前記他のステーションに前記ホワイトスペースマップ放送フレームが伝送されることを要請する要請プリミティブを受信することと、
前記非ＡＰステーションのＭＬＭＥから前記他のステーションのＭＬＭＥに前記アップデートされたＷＳＭを含む前記ホワイトスペースマップ放送フレームを伝送することと
を含み、
前記要請プリミティブは、前記他のステーションのＭＡＣ住所及び前記アップデートされたＷＳＭを含む、請求項７に記載の方法。
【請求項９】
前記要請プリミティブは、ＭＬＭＥ．ＷＳＭ．ｒｅｑｕｅｓｔメッセージである、請求項８に記載の方法。
【請求項１０】
前記アップデートされたＷＳＭは、前記アップデートされたＷＳＭの受信を示す指示プリミティブを通して前記他のステーションのＭＬＭＥから前記他のステーションのＳＭＥに伝送され、
前記指示プリミティブは、前記ホワイトスペースマップ放送フレームを伝送する前記ステーションのＭＡＣ住所及び前記アップデートされたＷＳＭを含む、請求項８に記載の方法。
【請求項１１】
前記指示プリミティブは、ＭＬＭＥ−ＷＳＭ．ｉｎｄｉｃａｔｉｏｎプリミティブである、請求項１０に記載の方法。
【請求項１２】
前記ＷＳＭは、マップバージョンフィールド、チャンネル番号フィールド及び最大電力レベルフィールドを含むホワイトスペースマップ要素のフォーマットで生成され、
前記マップバージョンフィールドの値は、１ずつ循環的に増加し、前記チャンネル番号フィールドは、前記識別された利用可能なチャンネルのリストを示し、前記最大電力レベルフィールドは、前記識別された利用可能なチャンネルの最大許容伝送電力を示す、請求項１に記載の方法。
【請求項１３】
免許機器及び無免許機器が動作するように許容される規制ドメインにおいて無免許機器として主なサービスを保護するための装置であって、前記装置は、
プロセッサであって、前記プロセッサは、規制ドメインデータベースシステムから前記無免許機器の動作のための識別された利用可能なチャンネルのリスト及び前記識別された利用可能なチャンネルの最大許容伝送電力を獲得することと、前記識別された利用可能なチャンネルのリスト及び前記識別された利用可能なチャンネルの最大許容伝送電力を含むホワイトスペースマップ（ＷＳＭ）を生成することと、ステーションがアップデートされた利用可能なチャンネル情報を引き出す場合、前記ＷＳＭをアップデートすることとを行うように構成されている、プロセッサと、
他のステーションが特定チャンネルで動作している場合、前記アップデートされたＷＳＭを前記他のステーションに伝送することにより、前記他のステーションが他のチャンネルに移動するようにするように構成された送受信部と
を含む、装置。
【請求項１４】
前記送受信部は、前記主なサービス信号が前記ＷＳＭで利用可能として示される特定チャンネルで探索されるという測定報告を特定ステーションから受信するようにさらに構成されている、請求項１３に記載の装置。
【請求項１５】
前記特定ステーションは、デジタルＴＶ機器を含む、請求項１４に記載の装置。
【請求項１６】
前記装置は、自分の地理的位置識別及び規制データベース接続能力を用いて自分の位置で前記利用可能なチャンネルを決定する活性化ステーションとして動作するように構成されている、請求項１３に記載の装置。
【請求項１７】
前記他のステーションは、活性化ステーションから前記利用可能なチャンネルのための情報を受信する依存的ステーション、又は前記依存的ステーションの動作を可能にする依存的アクセスポイント（ＡＰ）ステーションである、請求項１３に記載の装置。
【請求項１８】
前記アップデートされたＷＳＭは、ビーコンフレーム、プローブ応答フレーム及びホワイトスペースマップ放送フレームのうちの一つを通して前記装置から伝送される、請求項１３に記載の装置。
【請求項１９】
前記装置は、非ＡＰステーションであり、
前記非ＡＰステーションの送受信部は、ホワイトスペースマップ放送フレームを通して前記アップデートされたＷＳＭを伝送する、請求項１６に記載の装置。
【請求項２０】
前記プロセッサは、ＭＡＣサブ階層管理エンティティ（ＭＬＭＥ）及びステーション管理エンティティ（ＳＭＥ）を含み、
前記装置のＭＬＭＥは、前記装置のＳＭＥから前記他のステーションに前記ホワイトスペースマップ放送フレームが伝送されることを要請する要請プリミティブを受信し、前記他のステーションのＭＬＭＥに前記アップデートされたＷＳＭを含む前記ホワイトスペースマップ放送フレームを伝送するように構成され、
前記要請プリミティブは、前記他のステーションのＭＡＣ住所及び前記アップデートされたＷＳＭを含む、請求項１９に記載の装置。
【請求項２１】
前記要請プリミティブは、ＭＬＭＥ．ＷＳＭ．ｒｅｑｕｅｓｔメッセージである、請求項２０に記載の装置。
【請求項２２】
前記アップデートされたＷＳＭは、前記アップデートされたＷＳＭの受信を示す指示プリミティブを通して前記他のステーションのＭＬＭＥから前記他のステーションのＳＭＥに伝送され、
前記指示プリミティブは、前記装置のＭＡＣ住所及び前記アップデートされたＷＳＭを含む、請求項１９に記載の装置。
【請求項２３】
前記指示プリミティブは、ＭＬＭＥ−ＷＳＭ．ｉｎｄｉｃａｔｉｏｎプリミティブである、請求項２２に記載の装置。
【請求項２４】
前記ＷＳＭは、マップバージョンフィールド、チャンネル番号フィールド及び最大電力レベルフィールドを含むホワイトスペースマップ要素のフォーマットで生成され、
前記マップバージョンフィールドの値は、１ずつ循環的に増加し、前記チャンネル番号フィールドは、前記識別された利用可能なチャンネルのリストを示し、前記最大電力レベルフィールドは、前記識別された利用可能なチャンネルの最大許容伝送電力を示す、請求項１３に記載の装置。
【手続補正２】
【補正対象書類名】明細書
【補正対象項目名】００３０
【補正方法】変更
【補正の内容】
【００３０】
また、前記ＷＳＭは、マップバージョンフィールド、チャンネル番号フィールド及び最大電力レベルフィールドを含むホワイトスペースマップ要素のフォーマットで生成され、前記マップバージョンフィールドの値は１ずつ順次増加し、前記チャンネル番号フィールドは前記の識別された利用可能なチャンネルのリストを示し、前記最大電力レベルフィールドは前記の識別された利用可能なチャンネルの最大許容伝送パワーを示すことができる。
本願明細書は、例えば、以下の項目も提供する。
（項目１）
免許機器及び無免許機器が動作するように許容される規制ドメインで無免許機器として動作するステーションで主なサービスを保護するための方法において、
規制ドメインデータベースシステムから前記無免許機器の動作のための識別された利用可能なチャンネルのリスト、及び前記の識別された利用可能なチャンネルの最大に許容された伝送電力を獲得すること；
前記利用可能なチャンネルのリスト及び前記の識別された利用可能なチャンネルの最大に許容された伝送電力を含むホワイトスペースマップ（ｗｈｉｔｅ  ｓｐａｃｅ  ｍａｐ、ＷＳＭ）を生成すること；
主なサービス信号が特定チャンネルで探索され、前記ステーションが前記ＷＳＭで利用可能であることを示す情報を獲得する場合、前記ＷＳＭをアップデートすること；及び
他のステーションが前記特定チャンネルで動作している場合、前記のアップデートされたＷＳＭを他のチャンネルに移動する前記他のステーションに伝送すること；を含む、主なサービス保護方法。
（項目２）
主なサービス信号が前記特定チャンネルで探索され、前記ＷＳＭで利用可能であることを示す測定報告を特定ステーションから受信することをさらに含む、項目１に記載の主なサービス保護方法。
（項目３）
前記特定ステーションはデジタルＴＶ機器を含む、項目２に記載の主なサービス保護方法。
（項目４）
前記ＷＳＭをアップデートするステーションは、自分の地理的位置識別及び規制データベース接続能力を用いて自分の位置で前記利用可能なチャンネルを決定する活性化ステーションである、項目１に記載の主なサービス保護方法。
（項目５）
前記他のステーションは、活性化ステーション又は前記依存的ステーションの動作を可能にする依存的アクセスポイントから前記利用可能なチャンネルのための情報を受信する依存的ステーションである、項目１に記載の主なサービス保護方法。
（項目６）
前記のアップデートされたＷＳＭは、ビーコンフレーム、プローブ応答フレーム、及びホワイトスペースマップ放送フレームのうちいずれか一つを通して前記ステーションから伝送される、項目５に記載の主なサービス保護方法。
（項目７）
前記ＷＳＭをアップデートするステーションは、非接続ポイント（ｎｏｎ−ＡＰ）ステーションで、
前記のアップデートされたＷＳＭは、ホワイトスペースマップ放送フレームを通して前記非接続ポイントステーションに伝送される、項目４に記載の主なサービス保護方法。
（項目８）
前記のアップデートされたＷＳＭを伝送することは、
前記非接続ポイントステーションのＭＡＣサブ階層管理エンティティ（ＭＡＣ  ｓｕｂｌａｙｅｒ  ｍａｎａｇｅｍｅｎｔ  ｅｎｔｉｔｙ：ＭＬＭＥ）で、前記非接続ポイントステーションのステーション管理エンティティ（ｓｔａｔｉｏｎ  ｍａｎａｇｅｍｅｎｔ
ｅｎｔｉｔｙ：ＳＭＥ）から前記他のステーションに伝送されるホワイトスペースマップ（Ｗｈｉｔｅ  Ｓｐａｃｅ  Ｍａｐ：ＷＳＭ）放送フレームを要請する要請プリミティブを受信すること；及び
前記非接続ポイントステーションのＭＬＭＥから前記他のステーションのＭＬＭＥに前記のアップデートされたＷＳＭを含む前記ホワイトスペースマップ放送フレームを伝送すること；を含み、
前記要請プリミティブは、前記他のステーションのＭＡＣ住所及び前記のアップデートされたＷＳＭを含む、項目７に記載の主なサービス保護方法。
（項目９）
前記要請プリミティブは、ＭＬＭＥ  ＷＳＭ要請メッセージ（ＭＬＭＥ．ＷＳＭ．ｒｅｑｕｅｓｔ  ｍｅｓｓａｇｅ）である、項目８に記載の主なサービス保護方法。
（項目１０）
前記のアップデートされたＷＳＭは、前記のアップデートされたＷＳＭの受信を示す指示プリミティブを通して前記他のステーションのＭＬＭＥから前記他のステーションのＳＭＥに伝送され、
前記指示プリミティブは、前記ホワイトスペースマップ放送フレームを伝送するステーションのＭＡＣ住所及び前記のアップデートされたＷＳＭを含む、項目８に記載の主なサービス保護方法。
（項目１１）
前記指示プリミティブはＭＬＭＥ  ＷＳＭ指示プリミティブ（ＭＬＭＥ−ＷＳＭ．ｉｎｄｉｃａｔｉｏｎ  ｐｒｉｍｉｔｉｖｅ）である、項目１０に記載の主なサービス保護方法。
（項目１２）
前記ＷＳＭは、マップバージョンフィールド、チャンネル番号フィールド及び最大電力レベルフィールドを含むホワイトスペースマップ要素のフォーマットで生成され、
前記マップバージョンフィールドの値は１ずつ順次増加し、前記チャンネル番号フィールドは前記の識別された利用可能なチャンネルのリストを示し、前記最大電力レベルフィールドは前記の識別された利用可能なチャンネルの最大許容伝送パワーを示す、項目１に記載の主なサービス保護方法。
（項目１３）
免許機器及び無免許機器の動作が許容される規制ドメインで無免許機器として動作するステーションで主なサービスを保護するための装置において、
規制ドメインデータベースシステムから前記無免許機器の動作のための識別された利用可能なチャンネルのリスト及び前記の識別された利用可能なチャンネルの最大に許容された伝送電力を獲得し、前記利用可能なチャンネルのリスト及び前記の識別された利用可能なチャンネルの最大に許容された伝送電力を含むホワイトスペースマップ（ｗｈｉｔｅ  ｓｐａｃｅ  ｍａｐ、ＷＳＭ）を生成し、主なサービス信号が特定チャンネルで探索され、前記ステーションが前記ＷＳＭで利用可能であることを示す情報を獲得する場合、前記ＷＳＭをアップデートするプロセッサ；及び
他のステーションが前記特定チャンネルで動作している場合、前記のアップデートされたＷＳＭを他のチャンネルに移動する前記他のステーションに伝送する送受信部；で構成される、主なサービス保護装置。
（項目１４）
前記送受信部は、前記ＷＳＭで主なサービス信号が前記特定チャンネルで探索され、利用可能であることを示す測定報告を特定ステーションから受信することをさらに含むように構成された、項目１３に記載の主なサービス保護装置。
（項目１５）
前記特定ステーションはデジタルＴＶ機器を含む、項目１４に記載の主なサービス保護装置。
（項目１６）
前記ＷＳＭをアップデートするステーションは、自分の地理的位置識別及び規制データベース接続能力を用いて自分の位置で前記利用可能なチャンネルを決定する活性化ステーションとして動作するように構成された、項目１３に記載の主なサービス保護装置。
（項目１７）
前記他のステーションは、活性化ステーション又は前記依存的ステーションの動作を可能にする依存的アクセスポイントから前記利用可能なチャンネルのための情報を受信する依存的ステーションである、項目１３に記載の主なサービス保護装置。
（項目１８）
前記のアップデートされたＷＳＭは、ビーコンフレーム、プローブ応答フレーム及びホワイトスペースマップ放送フレームのうちいずれか一つを通して前記ステーションから伝送される、項目１３に記載の主なサービス保護装置。
（項目１９）
前記ＷＳＭをアップデートするステーションは、非接続ポイント（ｎｏｎ−ＡＰ）ステーションで、
前記のアップデートされたＷＳＭは、ホワイトスペースマップ放送フレームを通して前記非接続ポイントステーションに伝送される、項目１７に記載の主なサービス保護装置。
（項目２０）
前記プロセッサは、ＭＡＣサブ階層管理エンティティ（ＭＡＣ  ｓｕｂｌａｙｅｒ  ｍａｎａｇｅｍｅｎｔ  ｅｎｔｉｔｙ：ＭＬＭＥ）及び非接続ポイントステーションのステーション管理エンティティ（ｓｔａｔｉｏｎ  ｍａｎａｇｅｍｅｎｔ  ｅｎｔｉｔｙ：ＳＭＥ）で構成され、
前記非接続ポイントステーションのＭＡＣサブ階層管理エンティティ（ＭＡＣ  ｓｕｂｌａｙｅｒ  ｍａｎａｇｅｍｅｎｔ  ｅｎｔｉｔｙ：ＭＬＭＥ）の装置は、前記非接続ポイントステーションのステーション管理エンティティ（ｓｔａｔｉｏｎ  ｍａｎａｇｅｍｅｎｔ  ｅｎｔｉｔｙ：ＳＭＥ）から前記他のステーションに伝送されるホワイトスペースマップ（Ｗｈｉｔｅ  Ｓｐａｃｅ  Ｍａｐ：ＷＳＭ）放送フレームを要請する要請プリミティブを受信し、前記非接続ポイントステーションのＭＬＭＥから前記他のステーションのＭＬＭＥに前記のアップデートされたＷＳＭを含む前記ホワイトスペースマップ放送フレームを伝送するように構成され、
前記要請プリミティブは、前記他のステーションのＭＡＣ住所及び前記のアップデートされたＷＳＭを含む、項目１９に記載の主なサービス保護装置。
（項目２１）
前記要請プリミティブはＭＬＭＥ  ＷＳＭ要請メッセージ（ＭＬＭＥ．ＷＳＭ．ｒｅｑｕｅｓｔ  ｍｅｓｓａｇｅ）である、項目２０に記載の主なサービス保護装置。
（項目２２）
前記のアップデートされたＷＳＭは、前記のアップデートされたＷＳＭの受信を示す指示プリミティブを通して前記他のステーションのＭＬＭＥから前記他のステーションのＳＭＥに伝送され、
前記指示プリミティブは、前記ホワイトスペースマップ放送フレームを伝送するステーションのＭＡＣ住所及び前記のアップデートされたＷＳＭを含む、項目１９に記載の主なサービス保護装置。
（項目２３）
前記指示プリミティブはＭＬＭＥ  ＷＳＭ指示プリミティブ（ＭＬＭＥ−ＷＳＭ．ｉｎｄｉｃａｔｉｏｎ  ｐｒｉｍｉｔｉｖｅ）である、項目２２に記載の主なサービス保護装置。
（項目２４）
前記ＷＳＭは、マップバージョンフィールド、チャンネル番号フィールド及び最大電力レベルフィールドを含むホワイトスペースマップ要素のフォーマットで生成され、
前記マップバージョンフィールドの値は１ずつ順次増加し、前記チャンネル番号フィールドは前記の識別された利用可能なチャンネルのリストを示し、前記最大電力レベルフィールドは前記の識別された利用可能なチャンネルの最大許容伝送パワーを示す、項目１３に記載の主なサービス保護装置。